(57)【特許請求の範囲】
【請求項１】
ＤＳＬ通信セッションにおける、第１のＤＳＬトランシーバと第２のＤＳＬトランシーバとの間の、一方向でのＤＳＬ通信の中断または実質的停止に応答して、第１のＤＳＬトランシーバをＤＳＬ通信セッションから、第１のＤＳＬトランシーバがローカルエンドラインに実質的に低い電力を送信するＤＳＬ待機状態に遷移させること、
ローカルエンドラインから、第１のＤＳＬトランシーバの所でＤＳＬ待機信号を受信したことに応答して、第１のＤＳＬトランシーバからローカルエンドラインに第１のＤＳＬ受理信号を送信すること、ならびに
送信に応答して、ＤＳＬ待機状態においてローカルエンドラインに送信される電力より実質的に高い電力で、第１のＤＳＬトランシーバからローカルエンドラインへのＤＳＬ通信の送信を再開することであって、再開する動作が、ＤＳＬ待機状態において第１のＤＳＬトランシーバの所で受信されたＤＳＬ電力より実質的に高いＤＳＬ電力を、第１のＤＳＬトランシーバの所で受信したことに、または第２のＤＳＬトランシーバから第２のＤＳＬ受理信号を、第１のＤＳＬトランシーバの所で受信したことに応答することを含む、方法。
【請求項２】
遷移する動作が、第１のＤＳＬトランシーバからローカルエンドラインにＤＳＬ待機信号を送信することを含む、請求項１に記載の方法。
【請求項３】
方法が、第２のＤＳＬトランシーバからのＤＳＬ受理信号を第１のＤＳＬトランシーバの所で受信することを含む、請求項１または請求項２に記載の方法。
【請求項４】
第１のＤＳＬトランシーバと第２のＤＳＬトランシーバとの間の、一方向でのＤＳＬ通信の中断または実質的停止に応答して、第１のＤＳＬトランシーバがローカルエンドラインに実質的に低い電力を送信するＤＳＬ待機状態に、第１のＤＳＬトランシーバを遷移させることであって、第１のＤＳＬトランシーバが、ＤＳＬ待機状態においてローカルエンドラインにＤＳＬ待機信号を送信すること、ならびに
ＤＳＬ待機状態において第１のＤＳＬトランシーバからローカルエンドラインに送信される電力より実質的に高い電力で、第１のＤＳＬトランシーバからローカルエンドラインへのＤＳＬ通信の送信を再開し、または第１のＤＳＬトランシーバからローカルエンドラインに第２のＤＳＬ受理信号を送信することを含み、
ＤＳＬ通信の送信を再開し、または第２のＤＳＬ受理信号を送信する作用が、ＤＳＬ待機信号に応答したローカルエンドラインからの第１のＤＳＬ受理信号を、第１のＤＳＬトランシーバの所で受信したことに応答する、方法。
【請求項５】
ローカルエンドラインからの第１のＤＳＬ受理信号を第１のＤＳＬトランシーバの所で受信したことに応答して、第１のＤＳＬトランシーバが、ローカルエンドラインに第２のＤＳＬ受理信号を送信する、請求項４に記載の方法。
【請求項６】
ＤＳＬトランシーバの所での、ローカルエンドラインからのＤＳＬ通信の受信の中断または実質的停止に応答して、ＤＳＬトランシーバからローカルエンドラインに送信される電力が実質的に削減されるＤＳＬ待機状態に遷移する動作と、
ローカルエンドラインからＤＳＬ待機信号を受信したことに応答して、ＤＳＬ受理信号をローカルエンドラインに送信する動作と、
ＤＳＬ待機状態においてローカルエンドラインから受信されるより実質的に高い電力で、ローカルエンドラインからＤＳＬ送信を受信したこと、またはローカルエンドラインから第２のＤＳＬ受理信号を受信したことのいずれかに応答して、ＤＳＬ待機状態においてローカルエンドラインに送信される電力より実質的に高い電力で、ローカルエンドラインへのＤＳＬ通信の送信を再開する動作とを実施するように構成されたＤＳＬトランシーバを備える、装置。
【請求項７】
装置が、第１のＤＳＬトランシーバを含む、中央制御型ＤＳＬトランシーバのセットを備え、
中央制御型ＤＳＬトランシーバのセットが、第１のＤＳＬトランシーバが再開する動作を実施するとき、並列ＤＳＬデータ送信を第１の行列でプリコーディングし、または第１のＤＳＬトランシーバが再開する動作を実施するとき、並列受信ＤＳＬデータ通信を第２の行列でデコーディングするように構成され、第１の行列が、中断または実質的停止が近づくと、また、それに先立って、並列データ送信をプリコーディングするのに使われ、第２の行列が、中断または実質的停止が近づくと、また、それに先立って、受信されたＤＳＬデータ通信をデコーディングするのに使われる、請求項６に記載の装置。
【請求項８】
ＤＳＬトランシーバが、ＤＳＬ待機状態中にローカルエンドラインにＤＳＬ待機信号を送信するように構成される、請求項６または請求項７に記載の装置。
【請求項９】
ＤＳＬ待機状態においてローカルエンドラインにＤＳＬ待機信号を送信するように構成されたＤＳＬトランシーバの所での、ローカルエンドラインからのＤＳＬ通信の受信の中断または実質的停止に応答して、ＤＳＬトランシーバからローカルエンドラインに送信される電力が実質的に削減されるＤＳＬ待機状態に遷移し、
ローカルエンドラインへの待機信号の送信に応答した、ローカルエンドラインからのＤＳＬ受理信号の受信に応答して、ＤＳＬ待機状態においてＤＳＬトランシーバによってローカルエンドラインに送信される電力より実質的に高い電力で、ローカルエンドラインへのＤＳＬ通信の送信を再開するように構成されたＤＳＬトランシーバを備える、装置。
【請求項１０】
再開する動作を実施するように構成されたＤＳＬトランシーバを含む、中央制御型ＤＳＬトランシーバのセットをさらに備え、
ＤＳＬトランシーバが再開する動作を実施するとき、中央制御型ＤＳＬトランシーバのセットが、中断または実質的停止の直前に並列ＤＳＬデータ送信をプリコーディングするのに使われるプリコーディング行列で、並列ＤＳＬデータ送信をプリコーディングするように、および／または中断の直前に受信された並列ＤＳＬデータ通信をデコーディングするのに使われるデコーディング行列で、並列受信ＤＳＬデータ通信をデコーディングするように構成される、請求項９に記載の装置。
【発明の詳細な説明】
【技術分野】
【０００１】
本発明は、ＤＳＬ通信のための装置およびこのような装置を操作する方法に関する。
【背景技術】
【０００２】
本セクションでは、本発明をより理解しやすくするのに役立ち得る側面を紹介する。したがって、本セクションでの主張は、この見地において読まれるべきであり、何が従来技術に含まれ、または何が従来技術に含まれないかについての自認として理解されるべきではない。
【０００３】
多くのデジタル加入者ループ（ＤＳＬ）通信システムは、リンクを介して通信するＤＳＬトランシーバペアを接続するリンクの間で、ダウンリンクおよび／またはアップリンククロストークを受けやすい。クロストークは通常、電話会社の共通ローカルエンドラインのツイストペア線の間の誘導結合などの物理的影響によって引き起こされる。このようなクロストークは、ＤＳＬデータ通信が維持され得る距離を削減することによって、および／または最大ＤＳＬデータ通信レートを低減させることによって、通信に悪影響を与え得る。
【０００４】
一部のマルチチャネルデータ通信システムは、ダウンリンクおよびアップリンク通信におけるクロストークの望ましくない影響を補償する。このような補償を実施するために、マルチチャネルデータ通信システムは通常、共有通信チャネル用のダウンリンクおよびアップリンクチャネル行列、すなわち、それぞれＨＤおよびＨＵを測定する。ダウンリンクチャネル行列、すなわちＨＤの形から、中央送信機は、ダウンリンクマルチチャネルデータ通信をプリコーディングすることができ、そうすることによって、遠端トランシーバは、クロストーク関連の歪みをほぼ受けていないデータ信号を受信する。アップリンクチャネル行列、すなわちＨＵから、中央受信機は、受信されたアップリンクマルチチャネルデータ通信をデコーディングして、クロストーク関連の歪みをほぼ受けていない分離データ信号ストリームを生じることができる。
【０００５】
ダウンリンクおよびアップリンクチャネル行列ＨＤおよびＨＵの測定は、マルチチャネル通信システムを介した並列マルチチャネルデータ通信セッションの初期化および／または追跡中に実施することができる。さらに、チャネル行列ＨＤおよびＨＵの異なるペアが、異なる周波数チャネルまたは独立周波数チャネルセット、たとえば、異なるＤＳＬトーンや近接ＤＳＬトーンの独立セットに対して測定され得る。測定されたダウンリンクおよびアップリンクチャネル行列ＨＤおよびＨＵの形は、データ通信セッションが、通信チャネルを共有する並列ＤＳＬ通信のセットに追加され、または削除されるときにアップデートすることができる。セッションの間のクロストークの望ましくない影響を低減させるための、異なるチャネル上での同時通信セッションセットの補償は、ベクタリングと呼ばれる。このようなベクタリングは、ライン間誘導結合の影響を被るローカルエンドラインのグループによって搬送されるＤＳＬデータ通信セッションの間のクロストークを削減するように行われ得る。ＤＳＬベクタリングを経るＤＳＬ通信セッショングループのこのようなものは、ＤＳＬベクタリンググループと呼ばれる。
【先行技術文献】
【特許文献】
【０００６】
【特許文献１】米国特許出願第１２／１５７，４６１号明細書
【特許文献２】米国特許出願第１２／０６０，６５３号明細書
【特許文献３】米国特許出願第１１／８４８，６８４号明細書
【特許文献４】米国特許出願第１１／８９７，８０９号明細書
【特許文献５】米国特許出願第１１／８９７，８７７号明細書
【発明の概要】
【課題を解決するための手段】
【０００７】
様々な実施形態が、ＤＳＬベクタリングをサポートするために、ＤＳＬ通信システムにおいて使うことができる装置および方法を提供する。第１のＤＳＬトランシーバペアの間のアクティブＤＳＬデータ通信セッションの不測の中断または実質的停止に応答して、こうした実施形態は、第１のＤＳＬトランシーバペア用のローカルエンドラインに送信される電力レベルを低下させて、ＤＳＬベクタリンググループの他のＤＳＬトランシーバペアの間のリンク上で不測の中断または実質的停止が誘発するクロストークを削減する。この方法および装置は、第１のＤＳＬトランシーバペアおよびそのローカルエンドラインが再度、双方向ＤＳＬ通信をサポートすることが可能であることを確認することによって、第１のＤＳＬトランシーバペアの間の通常のＤＳＬデータ送信を再開するように構成される。
【０００８】
第１の方法は、第１のＤＳＬトランシーバを、ＤＳＬ通信セッションから、第１のＤＳＬトランシーバがローカルエンドラインに実質的に低い電力を送信するＤＳＬ待機状態に遷移させることを含む。遷移させることは、第１のＤＳＬトランシーバと第２のＤＳＬトランシーバとの間の、一方向でのＤＳＬ通信のＤＳＬ通信セッションにおける中断または実質的停止に応答する。第１の方法は、ローカルエンドラインからＤＳＬ待機信号を第１のＤＳＬトランシーバの所で受信したことに応答して、第１のＤＳＬトランシーバからローカルエンドラインに第１のＤＳＬ受理信号を送信することを含む。第１の方法は、送信する動作に応答して、第１のＤＳＬトランシーバからローカルエンドラインへのＤＳＬ通信の送信を、ＤＳＬ待機状態において、ローカルエンドラインに送信される電力より実質的に高い電力で再開することを含む。再開する動作は、送信すること、および第１のＤＳＬトランシーバの所で、ＤＳＬ待機状態で第１のＤＳＬトランシーバにおいて受信されるＤＳＬ電力より実質的に高いＤＳＬ電力を受信すること、または第１のＤＳＬトランシーバの所で、第２のＤＳＬトランシーバから第２のＤＳＬ受理信号を受信することに応答する。
【０００９】
第１の方法のいくつかの実施形態では、遷移させる動作は、第１のＤＳＬトランシーバからローカルエンドラインにＤＳＬ待機信号を送信することを含む。
【００１０】
いくつかの実施形態では、第１の方法は、第２のＤＳＬトランシーバからのＤＳＬ受理信号を、第１のＤＳＬトランシーバの所で受信することを含む。
【００１１】
第１の方法のいくつかの実施形態では、中断または実質的停止は、第１のトランシーバの所で、ローカルエンドラインから、中断または実質的停止のすぐ前のアクティブ状態中に第１のトランシーバの所でローカルエンドラインから受信される時間平均ＤＳＬ電力と比較して６ｄＢ以上削減されている時間平均ＤＳＬ電力を受信することを含む。
【００１２】
第１の方法のいくつかの実施形態では、遷移させる動作と再開する動作との間に第１のトランシーバによってローカルエンドラインに送信される時間平均ＤＳＬ電力は、ＤＳＬ待機状態の直前のＤＳＬアクティブ状態中に第１のトランシーバによってローカルエンドラインに送信される時間平均ＤＳＬ電力に対して６ｄＢ以上削減される。
【００１３】
第１の方法のいくつかの実施形態では、ＤＳＬ通信の送信を再開する動作は、第１のＤＳＬトランシーバを含む、中央制御型ＤＳＬトランシーバセットのデータ送信をプリコーディングすることを含む。プリコーディングは、中断または実質的停止時間直前の、セットによる送信用のＤＳＬデータ信号をプリコーディングするのに使われるプリコーディング行列を使う。
【００１４】
第１の方法のいくつかの実施形態では、第１のＤＳＬトランシーバは、ＤＳＬ待機状態の直前のＤＳＬアクティブ状態中に第１のＤＳＬトランシーバによってローカルエンドラインにＤＳＬ通信を送信するのに使われるＤＳＬトーンセットの３分の１未満を介して、遷移させる動作と再開する動作との間にローカルエンドラインにＤＳＬ電力を送信する。
【００１５】
第１の方法のいくつかの実施形態では、再開する動作は、第１のＤＳＬトランシーバを含む中央制御型ＤＳＬトランシーバセットによって受信されるＤＳＬデータ通信をデコーディングすることを含む。デコーディングは、中断または実質的停止の時間直前にそのセットによって受信されるＤＳＬデータ信号をデコーディングするのに使われるデコーディング行列を用いる。
【００１６】
第２の方法は、第１のＤＳＬトランシーバをＤＳＬ待機状態に遷移させることを含み、この状態において、第１のＤＳＬトランシーバは、第１のＤＳＬトランシーバと第２のＤＳＬトランシーバとの間の一方向でのＤＳＬ通信の中断または実質的停止に応答して、ローカルエンドラインに、実質的に低い電力を送信する。第１のＤＳＬトランシーバは、ＤＳＬ待機状態中にローカルエンドラインにＤＳＬ待機信号を送信する。この方法は、ＤＳＬ待機状態中に第１のＤＳＬトランシーバからローカルエンドラインに送信される電力より実質的に高い電力で、第１のＤＳＬトランシーバからローカルエンドラインへのＤＳＬ通信の送信を再開すること、または第１のＤＳＬトランシーバからローカルエンドラインに第２のＤＳＬ受理信号を送信することを含む。ＤＳＬ通信の送信を再開し、または第２のＤＳＬ受理信号を送信する動作は、第１のＤＳＬトランシーバでの、ＤＳＬ待機信号に応答した、ローカルエンドラインからの第１のＤＳＬ受理信号の受信に応答する。
【００１７】
第２の方法のいくつかの実施形態では、第１のＤＳＬ受理信号を第１のＤＳＬトランシーバの所で受信したことに応答して、第１のＤＳＬトランシーバが、ローカルエンドラインに第２のＤＳＬ受理信号を送信する。
【００１８】
第２の方法のいくつかの実施形態では、遷移させる動作は、第１のＤＳＬトランシーバからローカルエンドラインに送信される時間平均ＤＳＬ電力を、ＤＳＬ通信が中断され、または実質的に停止されたＤＳＬ通信セッション中に第１のＤＳＬトランシーバによってローカルエンドラインに送信される時間平均ＤＳＬ電力と比較して６ｄＢ以上削減することを含む。
【００１９】
第２の方法のいくつかの実施形態では、第１のＤＳＬトランシーバは、第１のＤＳＬトランシーバによって、ＤＳＬ通信が中断され、または実質的に停止されたＤＳＬ通信セッション中にＤＳＬデータ通信を送信するのに使われるＤＳＬトーンの３分の１未満を介して、ローカルエンドラインにＤＳＬ待機信号を送信する。
【００２０】
第１の装置は、ＤＳＬ待機状態に遷移するように構成されたＤＳＬトランシーバを含み、この状態において、ＤＳＬトランシーバからローカルエンドラインに送信される電力は、ＤＳＬトランシーバの所での、ローカルエンドラインからのＤＳＬ通信の受信の中断または実質的停止に応答して実質的に削減される。ＤＳＬトランシーバは、ローカルエンドラインからのＤＳＬ待機信号の受信に応答して、ＤＳＬ受理信号をローカルエンドラインに送信するように構成される。ＤＳＬトランシーバは、ＤＳＬ待機状態中にローカルエンドラインから受信されるより実質的に高い電力でローカルエンドラインからＤＳＬ送信を受信したことに、またはローカルエンドラインから第２のＤＳＬ受理信号を受信したことに応答して、ローカルエンドラインへのＤＳＬ通信の送信を、ＤＳＬ待機状態中にローカルエンドラインに送信される電力より実質的に高い電力で再開する動作を実施するように構成される。
【００２１】
いくつかの実施形態では、第１の装置は、再開する動作を実施するように構成されたＤＳＬトランシーバを含む、中央制御型ＤＳＬトランシーバのセットを含み得る。中央制御型ＤＳＬトランシーバのセットは、ＤＳＬトランシーバが、再開する動作を実施するとき、並列ＤＳＬデータ送信を行列でプリコーディングするように構成される。この行列は、中断または実質的停止が近づくと、また、それに先立って、並列データ送信をプリコーディングするのに使われる。
【００２２】
いくつかの実施形態では、第１の装置は、再開する動作を実施するように構成されたＤＳＬトランシーバを含む、中央制御型ＤＳＬトランシーバのセットを含み得る。中央制御型ＤＳＬトランシーバのセットは、ＤＳＬトランシーバが、再開する動作を実施するとき、並列受信ＤＳＬデータ通信を行列でデコーディングするように構成される。この行列は、中断または実質的停止が近づくと、また、それに先立って、受信ＤＳＬデータ通信をデコーディングするのに使われる。
【００２３】
第１の装置の上記実施形態において、待機状態に遷移するように構成されたＤＳＬトランシーバは、ＤＳＬ待機状態中にローカルエンドラインにＤＳＬ待機信号を送信するようにも構成され得る。
【００２４】
第２の装置は、ＤＳＬトランシーバを含む。ＤＳＬトランシーバは、ＤＳＬトランシーバの所での、ローカルエンドラインからのＤＳＬ通信の受信の中断または実質的停止に応答して、ＤＳＬ待機状態に遷移するように構成される。待機状態において、ＤＳＬトランシーバからローカルエンドラインに送信される電力は、実質的に削減される。ＤＳＬトランシーバは、ＤＳＬ待機状態においてローカルエンドラインにＤＳＬ待機信号を送信するように構成される。ＤＳＬトランシーバは、ローカルエンドラインへの待機信号の送信に応答したローカルエンドラインからのＤＳＬ受理信号の受信に応答して、ローカルエンドラインへのＤＳＬ通信の送信を、ＤＳＬ待機状態においてＤＳＬトランシーバによってローカルエンドラインに送信される電力より実質的に高い電力で再開する動作を実施するように構成される。
【００２５】
第２の装置のいくつかの実施形態では、ＤＳＬトランシーバは、トランシーバがローカルエンドラインに送信する時間平均ＤＳＬ電力を、ＤＳＬ通信の送信を再開する動作中にトランシーバがローカルエンドラインに送信する時間平均ＤＳＬ電力と比較して６ｄＢ以上削減することによって、待機状態に遷移するように構成され得る。
【００２６】
第２の装置のいくつかの実施形態では、ＤＳＬトランシーバは、ローカルエンドラインへのＤＳＬ通信の送信を再開する動作中にＤＳＬトランシーバによって使われるＤＳＬトーンセットの３分の１未満を介して、ローカルエンドラインにＤＳＬ待機信号を送信するように構成され得る。
【００２７】
いくつかの実施形態では、第２の装置は、再開する動作を実施するように構成されたＤＳＬトランシーバを含む、中央制御型ＤＳＬトランシーバのセットを含み得る。ＤＳＬトランシーバが、再開する動作を実施するとき、中央制御型ＤＳＬトランシーバのセットは、中断もしくは実質的停止の直前に、並列ＤＳＬデータ送信をプリコーディングするのに使われるプリコーディング行列で、並列ＤＳＬデータ送信をプリコーディングし、かつ／または中断もしくは実質的停止の直前に、受信された並列ＤＳＬデータ通信をデコーディングするのに使われるデコーディング行列で、並列受信ＤＳＬデータ通信をデコーディングするように構成される。
【図面の簡単な説明】
【００２８】
【図１】Ｎ個の並列ＤＳＬ通信セッション用のＤＳＬベクタリングをサポートするＤＳＬ通信システムを概略的に示す図である。
【図２】ＤＳＬ通信システムの、たとえば、図１のＤＳＬ通信システムにおいて動作中の、影響ＤＳＬトランシーバペアの状態を示す状態図である。
【図３】並列ＤＳＬセッションをサポートするＤＳＬ通信システムにおいて、たとえば、図１および／または２で示されるＤＳＬ通信システムにおいて、影響ペアの第１のＤＳＬトランシーバを操作する方法を示すフローチャートである。
【図４】たとえば、図１および／または２で示されるＤＳＬ通信システムにおいて、図３の影響ペアの第２のＤＳＬトランシーバを操作する方法を示すフローチャートである。
【図５】たとえば、図１および／または２で示されるＤＳＬ通信システムにおいて、影響ペアのＤＳＬトランシーバを操作する対称方法を示すフローチャートである。
【図６】図５に示す方法のいくつかの実施形態の任意選択の検証ステップを示すフローチャートである。
【発明を実施するための形態】
【００２９】
図面および本文において、同様の参照記号は、同様または同じ機能および／または構造をもつ要素を示す。
【００３０】
図面において、いくつかの特徴の相対寸法は、図中の構造または特徴の１つまたは複数をより分かりやすく示すために、誇張されている場合がある。
【００３１】
本明細書において、様々な実施形態が、図面および「発明を実施するための形態」によってより完全に記載される。それにも関わらず、本発明は、様々な形で実施することができ、図面および「発明を実施するための形態」に記載する実施形態に限定されない。
【００３２】
図１は、たとえば、ＤＳＬサービスプロバイダまたは地域電話会社（通信会社）の本社（ＣＯ）１２と、顧客構内設備（ＣＰＥ）のセット１４１、１４２、．．．、１４Ｎとの間のＤＳＬデータ通信および任意選択で音声通信をサポートする電話システム例の一部分１０を概略的に示す。ＤＳＬサービスプロバイダまたは地域通信会社は、単一の中央コントローラ２８によって中央制御されるＤＳＬトランシーバセット２４１、２４２、．．．、２４Ｎを有する。各ＣＰＥ１４１、１４２、．．．、１４Ｎは、顧客ＤＳＬトランシーバ１８１、１８２、．．．、１８Ｎ、任意選択の構内配線２２および任意選択の電話２０１、２０２、．．．、２０Ｎを有する。ＤＳＬサービスプロバイダまたは地域通信会社のＤＳＬトランシーバ２４１、２４２、．．．、２４ＮおよびＣＰＥ１４１、１４２、．．．、１４Ｎの顧客ＤＳＬトランシーバ１８１、１８２、．．．、１８Ｎは、ローカルエンドライン１６１、１６２、．．．、１６ＮおよびＣＰＥ１４１、１４２、．．．、１４Ｎの所の任意選択のどの構内配線２２を通しても接続される。ローカルエンドライン１６１、．．．、１６Ｎは、たとえば、標準ツイストペア銅線など、通常のローカルエンド電話ループである。各ローカルエンドライン１６１、．．．、１６Ｎは、ＤＳＬサービスプロバイダまたは地域通信会社の中央制御型ＤＳＬトランシーバ２４１、．．．、２４Ｎの１つを、ＣＰＥ１４１、．．．、１４Ｎの所の顧客ＤＳＬトランシーバ１８１、．．．、１８Ｎの対応する１つに接続する。中央コントローラ２８は、ＤＳＬサービスプロバイダまたは地域通信会社の中央制御型ＤＳＬトランシーバ２４１、．．．、２４ＮのＤＳＬベクタリンググループ、すなわち、中央制御型ＤＳＬトランシーバ２４１、．．．、２４Ｎのサブセットを操作し、ここでＤＳＬベクタリンググループのメンバは、ＤＳＬ通信セッションを有する。
【００３３】
Ｎ本のローカルエンドライン１６１、．．．、１６Ｎのサブセット、たとえば、バインダ２６、たとえば、地域通信会社のケーブル中にセグメントが共同配置されたＮ本のローカルエンドライン１６１、．．．、１６Ｎの一部は、クロストークを受けやすい。バインダ２６は、長距離に渡って物理的にごく近接して、ローカルエンドライン１６１、．．．、１６Ｎの前記サブセットを保有することができる。その理由により、ローカルエンドライン１６１、．．．、１６Ｎのサブセットは、たとえば、バインダ２６内の誘導結合に起因して、重大なライン間クロストークを被り得る。
【００３４】
ＣＯ１２において、ＤＳＬプロバイダまたは地域通信会社の中央コントローラ２８は、何らかの形のＤＳＬベクタリングを実装して、データアップリンクおよび／またはデータダウンリンク上でのクロストークの望ましくない影響を補償する。各タイムスロットにおいて、中央コントローラ２８は、たとえば、Ｋ個の並列ＤＳＬ通信セッションからなるグループのＤＳＬデータ信号を、ＤＳＬプロバイダまたは地域通信会社の中央制御型ＤＳＬトランシーバ２４１、．．．、２４Ｎへの送信に先立って、ＣＰＥ１４１、．．．１４Ｎの対応するＫ個のアクティブな顧客ＤＳＬトランシーバ１８１、．．．、１８Ｎのダウンリンク送信のためにプリコーディングすることができる。各タイムスロットにおいて、コントローラ２８は、たとえば、ＣＰＥ１４１、．．．１４Ｎの対応するＫ個のアクティブな顧客ＤＳＬトランシーバ１８１、．．．、１８Ｎからアップリンクを介してＫ個のアクティブな中央制御型ＤＳＬトランシーバ２４１、．．．、２４Ｎによって受信されるＫ個の並列ＤＳＬ通信セッションのＤＳＬデータ信号を、信号からＫ個の時間並列データストリームを抽出するのに先立ってデコーディングすることができる。つまり、中央コントローラ２８は、アップリンクおよび／またはダウンリンクＤＳＬ通信のために、ＣＯ１２内でＤＳＬベクタリングを実装することができる。
【００３５】
ＤＳＬベクタリングのための技法を実装するＤＳＬシステムおよび方法の例は、２００８年６月１０日に出願した米国特許出願第１２／１５７，４６１号（本明細書では、４６１号特許出願と呼ばれる）、２００８年４月１日に出願した米国特許出願第１２／０６０，６５３号、２００７年８月３１日に出願した米国特許出願第１１／８４８，６８４号、２００７年８月３１日に出願した米国特許出願第１１／８９７，８０９号、および／または２００７年８月３１日に出願した米国特許出願第１１／８９７，８７７号に記載されているであろう。本段落に列挙されている特許出願は、その全体が参照によって本明細書に組み込まれている。こうした組み込まれた特許出願に記載されている装置、技法、および／または方法は、本明細書に記載されているいくつかの実施形態において有用であり得る。
【００３６】
クロストークを受ける、Ｋ個の時間並列ＤＳＬ通信ストリームのプリコーディングは通常、たとえば、中央コントローラ２８において、各送信タイムスロットおよびＤＳＬトーンセットに対して行列積Ｐ・Ｘを評価することを伴う。ここで、Ｐは、Ｋ×Ｋのプリコーディング行列であり、Ｘは、対応するＤＳＬトーン向けの、同じタイムスロット中に送信されるべき並列ＤＳＬ信号のＫベクトルである。ＤＳＬトーンごとに、ＣＯ１２の中央制御型ＤＳＬトランシーバ２４１、．．．、２４Ｎのうち添字ｊのアクティブな１つが、それを対応するＣＰＥ１４１、．．．、１４Ｎの所で顧客ＤＳＬトランシーバ１８１、．．．、１８Ｎの、添字ｊのアクティブな１つに直接接続する１本のローカルエンドライン１６１、．．．、１６Ｎに要素（Ｐ・Ｘ）ｊを送信する。ここで、添字ｊのＫ個の値はそれぞれ、Ｋ個の並列ＤＳＬ通信ストリームの１つに対応する。プリコーディングに起因して、顧客ＤＳＬトランシーバ１８１、．．．、１８Ｎのうち、添字ｊのアクティブな１つが、近似形Ｄｊ・Ｘｊ、すなわち、クロストークを受けない形のＤＳＬ信号を受信することになり、ここでＤｊは複素数である。このような信号形は、ノイズなど、他のタイプの信号歪みがないとすると、クロストークが存在する、すなわち、Ｄｊ・Ｘｊ＝（ＨＤ・Ｐ・Ｘ）ｊである場合に受信される。したがって、このようなプリコーディングは通常、ライン間クロストークをなくすが、ライン依存信号減衰およびノイズをなくすことはできない。このような有利なプリコーディングを実施するために、ＣＯ１２は一般に、たとえば、Ｋ個のアクティブダウンリンクに亘って、対応するＤＳＬトーンに対するダウンリンクチャネル行列ＨＤを推定することによって、Ｋ次元ＤＳＬベクタリンググループに対してプリコーディング行列Ｐを評価する必要がある。
【００３７】
クロストークを受ける、Ｋ個の時間並列ＤＳＬ通信ストリームのデコーディングは通常、たとえば、中央コントローラ２８において、各送信タイムスロットおよびＤＳＬトーンセットに対して行列積Ｍ・Ｙを評価することを伴う。ここで、Ｍは、Ｋ×Ｋのデコーディング行列であり、Ｙは、対応するタイムスロットおよびＤＳＬトーンに対する並列受信ＤＳＬ信号のＫベクトルである。クロストークが存在し、他の信号歪み、たとえばノイズがない場合、ベクトルＹはＨＵ・Ｕであり、ここで添字ｐのアクティブな顧客ＤＳＬトランシーバ１８１、．．．、１８Ｎが、（Ｕ）ｐを送信し、ＣＰＥ１４１、．．．、１４ＮのうちＫ個が、ベクトルＵの成分を送信する。行列積Ｍ・Ｙの添字ｊの要素は、クロストークが存在し、他のタイプの信号歪み、たとえばノイズがない場合、近似的対角形Ｄ’ｊ・Ｕｊをもつ。したがって、デコーディングは通常、並列アップリンクＤＳＬ通信の間のクロストークをなくすが、ライン依存減衰またはノイズをなくすことはできない。このような有利なデコーディングを実施するために、ＣＯ１２は一般に、たとえば、アクティブアップリンクに亘り、対応するＤＳＬトーンに対するアップリンクチャネル行列ＨＵを推定することによって、ＤＳＬベクタリンググループに対するデコーディング行列Ｍを評価する必要がある。
【００３８】
対応するＤＳＬトランシーバ１８１、．．．、１８Ｎ、２４１、．．．、２４ＮのペアがＤＳＬ通信セッションを開始し、または終える、すなわち、ＤＳＬベクタリンググループに加入し、または脱退するとき、プリコーディングおよび／またはデコーディング行列Ｐ、Ｍを評価することが、しばしば望ましい。新規加入ＤＳＬトランシーバペアのＤＳＬ通信は、既にＤＳＬベクタリンググループにあるＤＳＬトランシーバペア１８１、．．．、１８Ｎ、２４１、．．．、２４ＮのＤＳＬデータ通信において相当なクロストークを生じ得る。同様に、既にＤＳＬベクタリンググループにあるＤＳＬトランシーバペア１８１、．．．、１８Ｎ、２４１、．．．、２４ＮのＤＳＬ通信は、新規加入ＤＳＬトランシーバペアのＤＳＬ通信において相当なクロストークを引き起こし得る。したがって、プリコーディング行列Ｐおよび／またはデコーディング行列Ｍの要素を、このような加入イベント時に、およびＤＳＬトランシーバ１８１、．．．、１８Ｎ、２４１、．．．、２４ＮのペアがＤＳＬベクタリンググループを脱退する関連イベント時に再評価することがしばしば有用である。
【００３９】
プリコーディングおよびデコーディング行列Ｐ、Ｍの評価はしばしば、このような評価が一般的に伴う相当の測定、通信回数、および／または計算量に起因して長時間実行する手順の実施を伴う。このような手順のいくつかは、ＤＳＬパイロット信号を測定して、直接チャネル減衰およびクロストークレベルを判定すること、チャネルノイズレベルを測定すること、ならびに／またはハンドシェーク動作を実施することを伴う。実際、プリコーディングおよびデコーディング行列Ｐ、Ｍの評価は、３０秒間も実行する従来の初期化手順の大きな部分となり得る。このような長い評価期間がＤＳＬ通信と干渉する状況を避けるために、このような行列、すなわち、Ｐおよび／またはＭの評価が不必要な場合は、このような評価を避けることが有利であり得る。
【００４０】
プリコーディング行列Ｐおよび／またはデコーディング行列Ｍの要素を再測定することは、ＤＳＬトランシーバ１８１、．．．、１８Ｎ、２４１、．．．、２４ＮのペアがＤＳＬベクタリンググループに加入するすべての状況において効率的なわけではないことを、本発明者は理解している。具体的には、ＤＳＬトランシーバのペアは、前記グループを脱退した後間もなく、たとえば、ＤＳＬ信号の受信が一時的に中断され、または一時的に実質的に停止されるいくつかの不測の信号損失イベントに応答して、ＤＳＬベクタリンググループへの再加入を試みる場合がある。このような不測の信号損失イベントは、たとえば、ライン１６１、．．．、１６Ｎのうち１本のラインの電気接点を、たとえば、電気接点の振動に起因して短期的に切断する、アクティブＤＳＬトランシーバ１８１、．．．、１８Ｎ、２４１、．．．、２４Ｎの１つをプラグから抜く、アクティブＤＳＬトランシーバ１８１、．．．、１８Ｎ、２４１、．．．、２４Ｎのうち１つのトランシーバの電源を切断する、またはアクティブＤＳＬトランシーバ１８１、．．．、１８Ｎ、２４１、．．．、２４Ｎのうち１つのトランシーバの出力電力を急変させた結果として生じ得る。このようないくつかのタイプの不測の信号損失イベントは、不測の信号損失イベント直前のアクティブ通信セッション中に、直接およびクロストークチャネルをサポートする物理通信媒体の形に、すなわち、前記媒体の形からの重大な変更を採り入れることなく、急速に軽減することができる。つまり、ＤＳＬトーン周波数の該当セットに対するチャネル行列ＨＵ、ＨＤの形は、不測の信号損失イベントのすぐ前および不測の信号損失イベントの軽減のすぐ後に、非常に類似している場合がある。物理マルチチャネル通信媒体を、このような不測の信号損失イベント直前の形にほぼ戻し得る軽減アクションの例は、短期的に開いている電気接点を閉じる、構内配線２２をＤＳＬトランシーバにプラグにより再接続する、および／またはＤＳＬトランシーバに再度電力供給することを含み得る。このような不測の信号損失イベントの軽減の後、プリコーディング行列Ｐおよび／またはデコーディング行列Ｍ、すなわち、不測の信号損失イベントの直前にＤＳＬベクタリンググループによって使われるものの再利用は、そうすることによって与えられるクロストーク補償の品質を実質的に低下させることはない。さらに、このような以前使われたプリコーディングおよび／またはデコーディング行列Ｐ、Ｍの再利用により通常、ダウン時間の必要が実質的に削減され得る。というのは、再加入ＤＳＬトランシーバ１８１、．．．、１８Ｎ、２４１、．．．、２４Ｎのペアは、プリコーディングおよび／またはデコーディング行列Ｐ、Ｍの再評価の完了を待たずに、ＤＳＬデータ通信を再開し、すなわち、ＤＳＬデータ信号を送受信することができるようになるからである。
【００４１】
方法および装置の様々な実施形態は、信号損失イベント、たとえば、不測の信号損失イベントに応答するように、ＤＳＬベクタリングをサポートし、ＤＳＬトランシーバのペアは、ＤＳＬ通信の受信が実質的に停止し、すなわち、中断されたと判定する。いくつかの信号損失イベントに応答して、本方法およびシステムは、信号損失イベント後すぐに双方向ＤＳＬ通信がサポートされるという確認を通して、プリコーディングおよび／またはデコーディング行列Ｐ、Ｍを再測定することなく、ＤＳＬ通信の再開を可能にする。
【００４２】
方法および装置の様々な実施形態が、図２の状態図３０によって示されており、たとえば、図１に示すシステム１０において、ならびに／または図３、４、および／もしくは５に示す方法４０、６０、７０によって実装することができる。状態図３０は、Ｎ個の中央制御型ＤＳＬトランシーバ、たとえば、図１のＣＯ１２のＤＳＬトランシーバ２４１、．．．、２４Ｎ、図１のＮ個の個別制御型ＤＳＬトランシーバ、たとえば、顧客ＤＳＬトランシーバ１８１、．．．、１８Ｎのセット、およびＮ本の通信回線、たとえば、図１のローカルエンドライン１６１、．．．、１６Ｎのセットを有するＤＳＬ通信システムにおける、影響ＤＳＬトランシーバペアを記述している。通信回線はそれぞれ、ＤＳＬ顧客の１つのＤＳＬトランシーバを、ＤＳＬプロバイダまたは地域通信会社の対応するＤＳＬトランシーバに直接接続する。ＤＳＬ通信システムは、たとえば、図１の中央コントローラ２８において、ＤＳＬデータ信号の時間並列セットからなるセットのプリコーディングおよび／またはデコーディングを含むＤＳＬベクタリングを実施することができる。
【００４３】
図２を参照すると、状態図３０は、既に記載した、ＤＳＬ通信システムの様々な態様を示す。状態図３０は、信号損失イベントによって直接影響される、対応するＤＳＬトランシーバのペアの状態を示す。このＤＳＬトランシーバペアは、ＤＳＬデータ通信セッション中に通信を行い、ＤＳＬプロバイダまたは地域通信会社の１つの顧客ＤＳＬトランシーバおよび１つの中央制御型ＤＳＬトランシーバを含む。図２において、アクティブ状態、すなわちＳｗ、および非アクティブ状態、すなわちＳｉａは、それぞれ、こうした２つの状態におけるＤＳＬベクトルグループのサイズおよびプリコーディングおよびデコーディング行列Ｐ、Ｍの最小次元を示すように、整数Ｋおよび（Ｋ−１）で添字づけされている。
【００４４】
状態図３０は、アクティブ状態、すなわちＳａ、非アクティブ状態、すなわちＳｉａ、受理状態、すなわちＳａｃｋ、および待機状態、すなわちＳｗを含む。こうした状態は、普通には単一のローカルエンドラインを介して通信する、ＤＳＬトランシーバのペア（以降では、影響ペアと呼ばれる）に対して用意される。アクティブ状態Ｓａは、影響ペアのＤＳＬトランシーバの間で最大または通常電力ＤＳＬデータ通信が起こる状態に対応する。非アクティブ状態Ｓｉａ、受理状態Ｓａｃｋ、および待機状態Ｓｗは、影響ペアのＤＳＬトランシーバの間で、実質的に低い時間平均電力または無電力のＤＳＬ送信が起こる状態に対応する。たとえば、待機状態、すなわちＳｗ、および受理状態、すなわちＳａｃｋにおいて、影響ペアのＤＳＬトランシーバは、そのローカルエンドラインに、以前のアクティブ状態、すなわちＳａ中に前記ＤＳＬトランシーバによって送信された時間平均ＤＳＬ電力より通常は６ｄＢ以上、８ｄＢ以上、または１０ｄＢ以上も低い時間平均ＤＳＬ電力を送信する。ここで、時間平均は、１、２、３、もしくはいくつかの連続するＤＳＬシンボル期間または不連続マルチトーン（ＤＭＴ）シンボル期間に渡り得る。このようないくつかの低電力または無電力状態、たとえば、ＳｗおよびＳａｃｋ状態において、影響ペアの一方または両方のＤＳＬトランシーバは、そのローカルエンドラインに１つまたは複数のＤＳＬ待機および／またはＤＳＬ受理信号を送って、送信側ＤＳＬトランシーバが最大電力ＤＳＬデータ通信セッションを再開することが可能であることを、影響ペアの他方のＤＳＬトランシーバに知らせることができる。このようなＤＳＬ待機および受理信号は、トランシーバの実質的に削減された電力レベルで、トランシーバの特定の信号形で、もしくはＤＳＬトーンセットに対して送信されるまたは存在しない電力で、ＤＳＬトランシーバによって認識される。
【００４５】
影響ＤＳＬトランシーバペアは、初期化、非アクティブ化、検証、および様々なタイムアウト手順により、異なる状態Ｓａ、Ｓｉａ、Ｓａｃｋ、およびＳｗの間を移動し得る。図に示すＤＳＬトランシーバペアはまた、短期および／または永続的信号損失および信号再出現イベント、たとえば、予測または不測のイベントに応答して、異なる状態Ｓａ、Ｓｉａ、Ｓａｃｋ、およびＳｗの間を移動し得る。したがって、手順およびイベントの両方が、影響ＤＳＬトランシーバペアの状態を変えることが可能である。
【００４６】
アクティブ状態Ｓａにおいて、図示してある影響ＤＳＬトランシーバペアは、ペアの間でのアクティブＤＳＬデータ通信セッションを維持し、すなわち、通常の時間平均ＤＳＬ電力レベルで維持する。
【００４７】
アクティブ状態Ｓａにおいて、影響ペアのどちらのＤＳＬトランシーバも、そのＤＳＬ通信セッションの正規の非アクティブ化を、非アクティブ化手順により要求し得る。たとえば、顧客ＤＳＬトランシーバ１８１、．．．、１８Ｎの１つが、対応するＤＳＬ顧客のローカルＤＳＬ依拠プロセスが終了すると、このような要求を行い得る。あるいは、ＣＯ１２の中央制御型ＤＳＬトランシーバ２４１、．．．、２４Ｎの１つが、このような要求を行い得る。正規の非アクティブ化要求が、たとえば、影響ペアのＤＳＬトランシーバの間での交渉により許可された場合、影響ＤＳＬトランシーバペアは、非アクティブ状態Ｓｉａへの正規の遷移を行い、たとえば、そのＤＳＬ送信を停止する。正規の非アクティブ化を求める要求が拒否された場合、影響ＤＳＬトランシーバペアは、アクティブ状態、すなわちＳａに留まり、その間での通常電力ＤＳＬ通信を維持する。
【００４８】
正規の非アクティブ化を求める要求が許可された場合、ＤＳＬベクタリンググループのサイズも小さくなる。影響ＤＳＬトランシーバペアがアクティブ状態、すなわちＳａにあるときにＤＳＬベクタリンググループが次元Ｋである場合、ＤＳＬベクタリンググループは、非アクティブ化手順がＤＳＬ通信システムを遷移させる先の非アクティブ状態、すなわちＳｉａにおいて次元（Ｋ−１）になる。したがって、たとえば、ＣＯ１２は、アクティブ状態、すなわちＳａではＫ×Ｋ行列であるプリコーディングおよび／またはデコーディング行列Ｐ、Ｍを、影響ペアによる非アクティブ状態、すなわちＳｉａへの遷移の後の（Ｋ−１）×（Ｋ−１）行列Ｐ、Ｍで置き換えることができよう。
【００４９】
非アクティブ状態Ｓｉａでは、図２の影響ＤＳＬトランシーバペアは、ＤＳＬ通信セッションを維持しない。しかし、ＤＳＬトランシーバの影響ペアまたは別の非アクティブペアは、非アクティブペアおよび任意のアクティブＤＳＬトランシーバペアが関わる初期化手順により、アクティブ状態、すなわちＳａへの後続遷移を要求することができる。初期化手順により、ＤＳＬトランシーバの非アクティブペアは、最大または通常電力ＤＳＬ通信セッションをスタートし、またはリスタートすること、すなわち、ＤＳＬベクタリンググループに加入し、または再加入することが可能になる。要求された初期化手順が成功した場合、もう１つのＤＳＬトランシーバペアが、アクティブ状態、すなわちＳａに移り、この状態において、少なくとも、前記ＤＳＬトランシーバペアがＤＳＬベクタリンググループに追加される。初期化手順が失敗した場合、ペアは非アクティブ状態、すなわちＳｉａに留まり、ＤＳＬベクタリンググループにおけるサイズまたはトランシーバペア内容に対して変更は行われない。
【００５０】
アクティブ状態、すなわちＳａへの遷移の後、Ｋ個のＤＳＬトランシーバペアは、時間並列なＤＳＬ通信セッションを維持し、プリコーディングおよび／またはデコーディング行列Ｐ、Ｍは、Ｋ×Ｋ次元行列である。したがって、初期化手順は通常、より大きいプリコーディング行列Ｐおよび／またはより大きいデコーディング行列Ｍの新しい要素を、次元Ｋの新しいＤＳＬベクタリンググループ用に必要とされるのに応じて決定する。いくつかの実施形態では、この決定は、ＣＯ１２のＫ個のＤＳＬトランシーバ２４１、．．．、２４Ｎの一部と、所望の新しいベクタリンググループ中のＫ個の顧客ＤＳＬトランシーバ１８１、．．．、１８Ｎの一部との間でパイロット信号を送信し、測定することを伴い得る。
【００５１】
影響ペアのＤＳＬトランシーバは、こうしたＤＳＬトランシーバの間のＤＳＬ通信の受信が、少なくとも、一方向で中断され、または実質的に停止され、たとえば、予想外に中断され、または実質的に停止されているという判定に応答して、アクティブ状態、すなわちＳａから待機状態、すなわちＳｗへの遷移を行うこともできる。このような状況は、信号損失イベントと呼ばれる。たとえば、既に上で論じたように、アクティブ状態、すなわちＳａに対応する図１のＫ本のライン１６１、．．．、１６Ｎの１つもしくは複数が中断され、もしくはブレークされると、またはＤＳＬ顧客のＫ個のアクティブＤＳＬトランシーバの１つもしくは複数が予想外に電源を落とされると、不測の信号損失イベントが起こり得る。
【００５２】
待機状態、すなわちＳｗにおいて、影響ペアの一方のＤＳＬトランシーバまたは影響ペアの各ＤＳＬトランシーバが、ペアの他方のＤＳＬトランシーバからの低電力ＤＳＬ待機信号の受信を監視する。待機状態、すなわちＳｗにおいて、ペアの両方のＤＳＬトランシーバは、以前そのペアを接続していたローカルエンドラインに送信される、トランシーバのＤＳＬ電力を実質的に削減する。ペアのＤＳＬトランシーバは、削減された電力連続タイプ信号、すなわち、ＤＳＬ待機信号を、待機状態、すなわちＳｗにおいてローカルエンドラインに送信することができる。たとえば、待機状態Ｓｗにおいて、影響ＤＳＬトランシーバの一方または両方は、たとえば、アクティブ状態、すなわちＳａ中にＤＳＬデータ通信を搬送するのに利用可能なＤＳＬトーンセットの疎であり適切なサブセットを介して、ローカルエンドラインにＤＳＬ待機信号を送信することができる。疎であり適切なサブセットは、たとえば、アクティブ状態、すなわちＳａ中の最大電力ＤＳＬデータ通信に利用可能なＤＳＬトーンの数の３分の１以下を含み得る。疎であり適切なサブセットは、たとえば、このような最大電力ＤＳＬデータ通信に使われるいくつかの最低周波数ＤＳＬトーンを含み得る。ＤＳＬ待機信号用に使われるＤＳＬトーンは、最大でも、残りのアクティブＤＳＬ通信セッション中、すなわち、以前のＫ次元ＤＳＬベクタリンググループの残りの（Ｋ−１）個のアクティブトランシーバペアの間で低いクロストーク干渉を生じるように選択される。たとえば、このようなＤＳＬ待機信号の送信を、削減された電力信号および／または少数のＤＳＬトーンに限定することにより、残りの（Ｋ−１）個のアクティブＤＳＬ通信セッションのＤＳＬデータ通信との干渉を削減することができる。この、ＤＳＬ待機信号および／またはＤＳＬ受理信号用のＤＳＬトーンセットの疎であり適切なサブセットを監視することによって、影響ペアの一方または両方のＤＳＬトランシーバは、ＤＳＬ通信の中断または実質的停止を引き起こすイベントがいつ軽減されたか判定することができる。信号損失イベントの軽減が起きたという判定に応答して、影響ＤＳＬトランシーバペアは、その以前のアクティブＤＳＬデータ通信セッションを、たとえば、信号損失イベント直前のアクティブ状態、すなわちＳａ中に使われた、格納された行列Ｐ、Ｍを使って実質的に再開しようとすることができる。以前のアクティブ状態、すなわちＳａを再開するとき、ＣＯ１２は、予め格納されたプリコーディングおよびデコーディング行列Ｐ、Ｍを使うことも、すなわち、影響ペアの間でのＤＳＬ通信セッションの不測の中断または実質的停止の直前から使うこともでき、このような初期に格納されたＰおよび／またはＭ行列とはわずかに異なるプリコーディングおよび／またはデコーディング行列を使うこともできる。
【００５３】
短期信号損失は、アクティブ状態、すなわちＳａから待機状態、すなわちＳｗへの遷移を誘発するが、たとえば、何らかのデータを伝達しているアクティブペアＤＳＬトランシーバの数を効果的に減少させることはできない。特に、影響ペアの一方または両方のＤＳＬトランシーバは、待機状態、すなわちＳｗにおいて、実質的に削減された電力でＤＳＬ信号を依然として送信することができる。削減された電力でのＤＳＬ送信は、影響ペアの一方または両方のＤＳＬトランシーバが、そのＤＳＬリンクが復元されているかどうか判定するのを助ける。待機状態、すなわちＳｗへの遷移は通常、プリコーディング行列Ｐまたはデコーディング行列Ｍがアップデートされることも必要としない。実際、以前使われたプリコーディングおよび／またはデコーディング行列Ｐおよび／またはＭは通常、待機状態、すなわちＳｗにおいて、および受理状態、すなわちＳａｃｋにおいて、影響ペアの一方または両方のＤＳＬトランシーバによる、実質的に削減された電力のこのようなＤＳＬ送信が存在する場合に使用可能である。本発明者は、こうした状態中の低電力送信のために、以前の行列Ｐおよび／またはＭ行列が通常、データをアクティブに伝達している他の（Ｋ−１）個のＤＳＬトランシーバペアに対するライン間クロストークの望ましくない影響を実質的に補償すると確信している。
【００５４】
それにも関わらず、待機状態Ｓｗでは、信号損失イベントが永続し、たとえば、予め設定された相当な長さの時間よりも続くという判定の結果として、通常、影響ペアのＤＳＬトランシーバは、待機状態、すなわちＳｗから非アクティブ状態、すなわちＳｉａへの遷移を行うことになる。このような遷移により、送信側ペアＤＳＬトランシーバの総数が１だけ減少し、そうすることによって、プリコーディング行列Ｐおよび／またはデコーディング行列Ｍは次いで、次元（Ｋ−１）のＤＳＬベクタリンググループに適した行列で置き換えられ得る。
【００５５】
影響ＤＳＬトランシーバペアは、ペアのＤＳＬトランシーバの一方または両方が、予め設定された最大待機期間内にペアの他方のＤＳＬトランシーバからＤＳＬ待機信号を検出したことに応答して、すなわち、そのローカルエンドラインからの受信により、待機状態、すなわちＳｗから受理状態、すなわちＳａｃｋに移る。ＤＳＬ待機信号の検出に応答して、ＤＳＬ待機信号を検出したＤＳＬトランシーバは、ＤＳＬ受理信号（ＡＣＫ）、すなわち、低電力の、および／または削減された数のＤＳＬトーンを介して、別のＤＳＬ信号を、影響ペアの他方のＤＳＬトランシーバに送信することになる。影響ペアの他方のＤＳＬトランシーバが、予め設定されたタイムアウト期間の終わりに先立ってＤＳＬ受信通知信号を受信した場合、そのＤＳＬトランシーバは、そのローカルエンドラインが再度、双方向ＤＳＬ通信をサポートする準備ができていることを「確認する」ことができる。次いで、影響ペアは通常、双方向ＤＳＬ通信セッションの再開に進むことができ、たとえば、ここで、Ｋ次元ＤＳＬベクタリンググループは、信号損失イベントの直前に使われるプリコーディング行列Ｐおよび／またはデコーディング行列Ｍを使う。つまり、ＤＳＬ受理信号の受信は、影響ペアの受信側ＤＳＬトランシーバに対して、そのＤＳＬリンクが再度、アップリンクおよびダウンリンク方向両方においてＤＳＬ信号をサポートすることが可能であることを示し、または確認する。
【００５６】
ＤＳＬ受理信号の受信に誘発されて、影響ペアは、通常のＤＳＬ通信を２通りのやり方で再開し得る。対称実施形態では、影響ペアの各ＤＳＬトランシーバは、待機状態、すなわちＳｗにおいてＤＳＬ待機信号を送信し、受理状態、すなわちＳａｃｋにおいて、ＤＳＬ受理信号を送信し、すなわち、ＤＳＬ待機信号の検出に応答して送信する。このような実施形態において、ＤＳＬ受理信号の受信は直接、受信側ＤＳＬトランシーバに、通常のＤＳＬ送信を再開させることができ、すなわち、より高い通常または最大電力レベルで再開させる。非対称実施形態では、影響ペアのＤＳＬトランシーバの第２のもののみが、待機状態、すなわちＳｗにおいてＤＳＬ待機信号を送信し、ペアのＤＳＬトランシーバの第１のものが、受理状態、すなわちＳａｃｋにおいて、ＤＳＬ受理信号を送信し、すなわち、ＤＳＬ待機信号の検出に応答して送信する。このような実施形態において、ＤＳＬ受理信号の受信は直接、影響ペアのＤＳＬトランシーバの第２のものに、通常のＤＳＬ送信を再開させ、すなわち、より高い通常または最大電力レベルで再開させるか、またはＤＳＬ第２の受理信号を送信させる。このような実施形態において、影響ペアのＤＳＬトランシーバの第１のものは、影響ペアのＤＳＬトランシーバの第２のものがこのような通常もしくは最大電力ＤＳＬ送信を再開していることの検出に応答して、またはＤＳＬトランシーバの第２のものからの第２のＤＳＬ受理信号の受信に応答して、すなわち、第１のＤＳＬ受理信号に応答して、通常または最大電力ＤＳＬトランシーバを再開することができる。後のケースでは、影響ペアの両方のＤＳＬトランシーバが次いで、ＤＳＬ通信セッションを通常または最大電力レベルで再開することができる。
【００５７】
いくつかの実施形態では、受理状態、すなわちＳａｃｋからアクティブ状態、すなわちＳａへのこのような遷移は、追加された任意選択の検証手順の実施も伴い得る。検証手順は、ＤＳＬベクタリンググループの通信プロパティが、信号損失イベント直前の値から、たとえば、影響ペアの間での以前のアクティブＤＳＬ通信セッションの中断または実質的停止のすぐ前の値から、大きく変化していないことをさらに確かめる。任意選択の検証手順は、たとえば、いくつかのＤＳＬトーンに関して、アップリンクおよび／もしくはダウンリンク行列ＨＵ、ＨＤの１つもしくはいくつかの要素を測定すること、ならびに／または他のいくつかのＤＳＬ送信パラメータを測定することを含み得る。任意選択の検証手順は、たとえば、少数の前記行列要素および／またはパラメータが、予め選択された量よりも変化していないことを確かめる。任意選択の検証手順は、たとえば、影響ペアに関するクロストーク関連の行列要素の全部または大多数が実質的に変化していないことを明示的に確かめることを目標としていないので、非常に迅速であり得る。
【００５８】
影響ＤＳＬトランシーバペアは、このような検証手順が、上述の物理チャネルプロパティのうち検査されたものにおいて実質的な変化がないことを確かめるのに失敗したことに応答して、受理状態、すなわちＳａｃｋから非アクティブ状態、すなわちＳｉａに移ることができる。このような失敗は通常、ＤＳＬシステムにおいて所望のレベルのクロストーク補償を与えるのに必要とされるプリコーディングおよびデコーディング行列Ｐ、Ｍが、信号損失イベント直前の前記行列の形とは実質的に異なる形をもつことになることを示す。
【００５９】
図３、４は、ＤＳＬプロバイダまたは地域通信会社の影響される中央制御型影響ＤＳＬトランシーバおよびそのコントローラ、たとえば、図１の中央制御型ＤＳＬトランシーバ２４１、．．．、２４Ｎおよび中央コントローラ２８の１つ、ならびに影響される顧客ＤＳＬトランシーバ、たとえば、図１の顧客ＤＳＬトランシーバ１８１、．．．、１８Ｎの１つによって、信号損失イベントに応答して実施されるべき、調整された方法４０、６０を示す。方法４０、６０は、図２に示す状態図の実装例を挙げており、実装は、対称または非対称である。信号損失イベントに先立って、影響ＤＳＬトランシーバペアは、対応するローカルエンドライン、たとえば、図１のライン１６１、．．．、１６Ｎの１つによってリンクされる。
【００６０】
一実施形態では、ＤＳＬプロバイダまたは地域通信会社、たとえば、図１のＣＯ１２の影響される中央制御型ＤＳＬトランシーバおよびそのコントローラが、第１の方法４０のステップを実施する。本実施形態では、影響される顧客ＤＳＬトランシーバ、たとえば、図１の顧客ＤＳＬトランシーバ１８１、．．．、１８Ｎの１つが、第２の方法６０のステップを実施する。
【００６１】
異なる実施形態では、ＤＳＬプロバイダまたは地域通信会社、たとえば、図１のＣＯ１２の影響される中央制御型ＤＳＬトランシーバおよびそのコントローラが、第２の方法６０のステップを実施する。本実施形態では、影響される顧客ＤＳＬトランシーバ、たとえば、図１の顧客ＤＳＬトランシーバ１８１、．．．、１８Ｎの１つが、第１の方法４０のステップを実施する。
【００６２】
両方の実施形態を説明するために、図３、４に関する記述では、第１の影響ＤＳＬトランシーバおよび対応する第２の影響ＤＳＬトランシーバに、または影響ＤＳＬトランシーバのペアに言及する。こうした記述において、顧客ＤＳＬトランシーバのうち影響される１つは、ＤＳＬプロバイダまたは地域通信会社の中央制御型ＤＳトランシーバの１つおよびその中央コントローラが、影響ＤＳＬトランシーバの残りの１つとして機能するならば、第１または第２の影響ＤＳＬトランシーバとして機能することができる。
【００６３】
方法４０、６０のステップの実施に先立って、ＤＳＬベクタリンググループは、アクティブ状態、すなわちＳａにおいて、Ｋ個のＤＳＬトランシーバペアを含んでいる。次いで、信号損失イベント、たとえば、不測の信号損失イベントが、影響ペアのアクティブＤＳＬトランシーバの間のＤＳＬデータ通信セッションに悪影響を与える。特に、信号損失イベントは、そのペアの間の通常の双方向ＤＳＬデータ通信と干渉し、または実質的に停止する物理的条件の結果として生じる。初期信号損失イベントは、アップリンク方向のみ、ダウンリンク方向のみ、またはアップリンクおよびダウンリンク方向両方において、ＤＳＬデータ通信を物理的に中断し、または実質的に停止し得る。たとえば、アップリンクおよびダウンリンクＤＳＬデータ通信は、異なる周波数のＤＳＬトーンによって搬送することができ、ローカルエンドラインに及ぶ減衰は、たとえば、ローカルエンドラインに対する高周波容量短絡（ｃａｐａｃｉｔｉｖｅ  ｓｈｏｒｔ）に起因して、周波数依存でよい。このような状況において、ＤＳＬ通信セッションの中断または実質的停止は、方向的に非対称でも方向的に対称でもよい。
【００６４】
ＤＳＬデータ通信セッションの中断または実質的停止の認識に応答して、影響ペアの一方のＤＳＬトランシーバが待機状態、すなわちＳｗに入るが、この状態では、そのＤＳＬトランシーバが、そのローカルエンドラインに送信されるＤＳＬ電力を実質的に削減する。ＤＳＬトランシーバは、そのローカルエンドラインから受信されるＤＳＬ信号における時間平均電力の実質的な低下を検出することによって、ＤＳＬデータ通信セッションの中断または実質的停止を認識することができる。たとえば、中断または実質的停止の認識は、６ｄＢ以上、８ｄＢ以上、または１０ｄＢ以上もの、受信ＤＳＬ信号に対するこのような電力の減少、たとえば、以前のアクティブ状態、すなわちＳａに対する減少を測定した結果として生じ得る。ここで、時間平均は、１、２、３つ以上のＤＳＬシンボル期間またはＤＭＴシンボル期間に渡ってよく、たとえば、平均は、低またはゼロ周波数に対するフーリエ係数に基づいてよく、複数のＤＳＬトーンに渡る平均を含んでも含まなくてもよい。元のアクティブ状態、すなわちＳａにおける初期中断もしくは実質的停止、または一方のＤＳＬトランシーバが待機状態、すなわちＳｗに入ったことにより、受信ＤＳＬ電力における、結果的に生じた急激な削減を認識することによって、影響ペアの残りのＤＳＬトランシーバも、そのローカルエンドラインから受信されたＤＳＬ電力の低下を認識することになり、待機状態、すなわちＳｗに入ることになる。待機状態、すなわちＳｗにおいて、影響ペアの残りのＤＳＬトランシーバも、そのローカルエンドラインに送信するＤＳＬ電力を、たとえば、ペアの他方のＤＳＬトランシーバに関して上述したように、実質的に削減する。
【００６５】
図３を参照すると、一方向でのＤＳＬデータ通信、たとえば、受信されたＤＳＬ通信の中断または実質的停止の後間もなく、第１の影響ＤＳＬトランシーバは待機状態、すなわちＳｗに入る（ステップ４２）。待機状態において、第１の影響ＤＳＬトランシーバは、そのローカルエンドラインにＤＳＬ信号を送信しないか、またはそのローカルエンドラインに、実質的に削減された平均的電力レベルでＤＳＬ信号を送信する。
【００６６】
待機状態、すなわちＳｗ、および受理状態、すなわちＳａｃｋにおいて、影響ＤＳＬトランシーバペアは両方とも、そのローカルエンドライン、すなわち、こうしたＤＳＬトランシーバを以前接続していたラインに、実質的に削減されたＤＳＬ電力を送信する。たとえば、こうした状態において、ＤＳＬ信号は、アクティブ状態、すなわちＳａにおいて、このローカルエンドラインを介した通常または最大電力ＤＳＬデータ通信に利用可能なＤＳＬトーンの１つまたはごく少数により送信することができる。また、このようなＤＳＬ信号は、削減された時間平均電力レベルで、たとえば、以前のアクティブ状態、すなわちＳａ中に同じローカルエンドラインに送信される平均ＤＳＬ電力レベルに対して６ｄＢ以上、８ｄＢ以上、または１０ｄＢも削減された電力レベルで送信することができる。
【００６７】
このような、待機および受理状態、すなわち、ＳｗおよびＳａｃｋ中にこのローカルエンドラインに送信されるＤＳＬ電力の実質的な削減により、残りの（Ｋ−１）個のアクティブＤＳＬ通信セッションにおいてクロストークが実質的に削減され得る。このような電力削減がない場合、このようなクロストークは実質的に補償されないかもしれない。というのは、たとえば、ローカルエンドラインの物理的中断により、残りの（Ｋ−１）個のアクティブＤＳＬデータ通信セッションをサポートする他のローカルエンドラインとのラインの誘導結合を変え得るからである。影響ＤＳＬトランシーバペアによってそのローカルエンドラインに送信されるＤＳＬ電力の実質的な削減により、しばしば、こうした残りの（Ｋ−１）個のアクティブＤＳＬデータ通信セッションにおいて高いクロストークレベルを生じることなく、待機および受理状態、すなわち、ＳｗおよびＳａｃｋ中に、以前のプリコーディングおよびデコーディング行列Ｐ、Ｍの使用が可能になる。
【００６８】
待機状態、すなわちＳｗ中に、第１の影響ＤＳＬトランシーバは、そのローカルエンドライン、すなわち、以前のアクティブ状態、すなわちＳａ中にトランシーバに直接接続されたラインからのＤＳＬ待機信号の受信を定期的に監視する（ステップ４４）。待機状態、すなわちＳｗの予め設定された開始時間内での、受信ＤＳＬ待機信号の検出、またはその信号がないことから、第１の影響ＤＳＬトランシーバは、第２の影響ＤＳＬトランシーバが、通常のＤＳＬデータ送信を再開することが可能かどうか判定する。
【００６９】
予め設定された時間内にＤＳＬ待機信号の受信がないこと、すなわち、ステップ４４での受信なしに応答して、第１の影響ＤＳＬトランシーバは、永続的信号損失条件が存在すると判定し、非アクティブ状態、すなわちＳｉａに遷移する（ステップ４６）。非アクティブ状態、すなわちＳｉａにおいて、第１のＤＳＬトランシーバは、ＤＳＬ待機信号の監視を停止し、通常、そのローカルエンドラインへのＤＳＬ信号の送信を停止する。
【００７０】
予め設定された時間内でのＤＳＬ待機信号の受信、すなわち、ステップ４４での受信に応答して、第１の影響ＤＳＬトランシーバは、受理状態、すなわちＳａｃｋに遷移する（ステップ４８）。受理状態、すなわちＳａｃｋにおいて、第１の影響ＤＳＬトランシーバは、そのローカルエンドラインにＤＳＬ受理信号を定期的に送信する。その後の、ＤＳＬ受理信号の受信は、第１の影響ＤＳＬトランシーバが第２の影響ＤＳＬトランシーバからＤＳＬ待機信号を受信中であり、第２の影響ＤＳＬトランシーバにＤＳＬ信号を送信することも可能であることを、第２の影響ＤＳＬトランシーバに示す。つまり、ＤＳＬ受理信号の受信は、たとえば、以前のアクティブ状態、すなわちＳａを再開することによって通常の双方向ＤＳＬデータ通信セッションが確立され得ることを、第２のＤＳＬトランシーバに対して確認する。
【００７１】
ＤＳＬ受理信号の送信を開始した後、第１の影響ＤＳＬトランシーバは、通常のＤＳＬデータ送信または第２のＤＳＬ受理信号を、すなわち、第２の予め設定された時間内での信号のために、第１の影響ＤＳＬトランシーバを監視する（ステップ５０）。ステップ４８でのＤＳＬ受理信号の送信に応答した、どちらかのタイプのＤＳＬ信号の受信は、たとえば、以前のアクティブ状態、すなわちＳａを再開することによって通常の双方向ＤＳＬデータ通信セッションが確立され得ることを、第１の影響トランシーバに対して確認する。
【００７２】
第２の予め設定された時間内での、通常のＤＳＬデータ送信または第２のＤＳＬ受理信号どちらかの検出に応答して、第１の影響ＤＳＬトランシーバは、新たなアクティブ状態、すなわちＳａに遷移する（ステップ５２）。ステップ５２で、新たなアクティブ状態、すなわちＳａへの遷移は、いくつかの実施形態では、既に記載した任意選択の検証手順の実施およびパスを必要とし得る。
【００７３】
新たなアクティブ状態において、ＤＳＬベクタリンググループは再度、以前のＫ個のアクティブＤＳＬトランシーバペアをもつ。その理由のため、たとえば、図１のＣＯ１２のＫ個の中央制御型ＤＳＬトランシーバの中央コントローラは、プリコーディング行列Ｐおよび／またはデコーディング行列Ｍ、すなわち、信号損失イベントの直前に使われた行列を、再利用することが可能であり得る。
【００７４】
いくつかの実施形態では、図１の中央コントローラ２８またはＣＯ１２は、上述した検証手順を、ステップ５２で、新たなアクティブ状態、すなわちＳａにおける、第１および第２の影響ＤＳＬトランシーバの間の通常の双方向ＤＳＬデータ通信の再開に先立って実施することができる。検証手順は、たとえば、いくつかのＤＳＬトーンに対する、アップリンクおよび／もしくはダウンリンクチャネル行列ＨＵ、ＨＤの要素を測定して、ＤＳＬベクタリンググループの物理的クロストークプロパティを再評価し、かつ／または他の１つもしくは複数のＤＳＬ送信パラメータを測定することを、たとえば伴い得る。以前のＫ  ＤＳＬベクタリンググループが検証手順にパスしたことに応答して、中央コントローラは、第１の影響ＤＳＬトランシーバに、たとえば、以前のアクティブ状態、すなわちＳａにおいて、第２の影響ＤＳＬトランシーバとの通常の双方向ＤＳＬデータ通信を再開させる。Ｋ  ＤＳＬトランシーバベクタリンググループが検証手順に失敗したことに応答して、影響ＤＳＬトランシーバペアは、非アクティブ状態、すなわちＳｉａに移る。
【００７５】
非アクティブ状態Ｓｉａから、以前影響を受けたが今では非アクティブな、対応するＤＳＬトランシーバのペアは通常、アップリンクおよびダウンリンクチャネル行列の新たな測定の後、アクティブ状態、すなわちＳａに戻されることになる。このような測定から、プリコーディング行列Ｐおよびデコーディング行列Ｍの該当要素は、初期化し直すことができる。したがって、ＤＳＬ通信セッションの永続的中断または永続的な実質的停止の結果、ＤＳＬトランシーバペアが、ＤＳＬベクタリンググループに再加入するためには、図２の初期化手順を実施する必要性が生じ得る。このような初期化手順の実施は通常、上述したように、待機および受理状態、すなわち、ＳｗおよびＳａｃｋに関連づけられたものより時間のかかる手順によるとしても、プリコーディング行列Ｐおよびデコーディング行列Ｍの要素の適切な値を決定する。
【００７６】
図４を参照すると、ＤＳＬデータ通信の受信の中断または実質的停止に応答して、第２の影響ＤＳＬトランシーバは、方法６０に従って、ＤＳＬ待機状態、すなわちＳｗに入る（ステップ６２）。待機状態、すなわちＳｗにおいて、第２の影響ＤＳＬトランシーバは、そのローカルエンドラインに、たとえば、以前のアクティブ状態、すなわちＳａ中に第２のＤＳＬトランシーバによって使われるセットより限定される、予め選択されたＤＳＬトーンセットを介して、ＤＳＬ待機信号を定期的に送信する。待機状態、すなわちＳｗにおいて、ＤＳＬ待機信号の送信は、直前のアクティブ状態、すなわちＳａ中に、第２の影響ＤＳＬトランシーバが同じローカルエンドラインにＤＳＬデータを送信するのに使った時間平均電力に対して、実質的に削減された時間平均電力で行われる。ＤＳＬ待機信号は、たとえば、直前のアクティブ状態、すなわちＳａ中に、第２の影響ＤＳＬトランシーバによって、そのローカルエンドラインに送信されるＤＳＬ電力より６ｄＢ以上、８ｄＢ以上、または１０ｄＢ以上も低い時間平均電力で送信することができる。ここで、時間平均電力は、ローカルエンドラインでの通常使用のためのＤＳＬトーンのフルセットに渡って平均することもできる。このローカルエンドラインに送信されるＤＳＬ電力の実質的な削減により、残りの（Ｋ−１）個のアクティブＤＳＬ通信セッションにおけるクロストークが実質的に削減され得る。論じてきた通り、影響ローカルエンドライン上での削減されたＤＳＬ電力によりしばしば、他のアクティブローカルエンドラインのいずれかにおける許容できないほど高いクロストークレベルなしで、以前のプリコーディングおよびデコーディング行列Ｐ、Ｍを継続使用することが可能になる。
【００７７】
待機状態、すなわちＳｗ、およびその後の任意の受理状態、すなわちＳａｃｋにおいて、影響ペアの第２のＤＳＬトランシーバも、そのローカルエンドラインからのＤＳＬ受理信号の受信を定期的に監視する（ステップ６４）。ＤＳＬ受理信号の検出または信号がないことから、第２の影響ＤＳＬトランシーバは、通常または最大電力双方向ＤＳＬデータ通信が再開され得るかどうか判定する。
【００７８】
ステップ６４で、待機状態、すなわちＳｗへの、このようなＤＳＬ受理信号の受信がないこと、すなわち、予め設定されたエントリ時間内での受信なしに応答して、第２のＤＳＬトランシーバは、永続的信号損失条件が存在すると判定し、非アクティブ状態、すなわちＳｉａに入る（ステップ６６）。非アクティブ状態、すなわちＳｉａにおいて、第２のＤＳＬトランシーバは、そのローカルエンドラインへのＤＳＬ待機信号の送信を停止し、そのローカルエンドラインへのどのＤＳＬ信号の送信も停止する場合がある。
【００７９】
ステップ６４で、待機状態、すなわちＳｗに入ってから、予め設定された時間内でのＤＳＬ受理信号の受信に応答して、影響ペアの第２のＤＳＬトランシーバは、以前のアクティブ状態、すなわちＳａに入り、または任意選択で上述の検証手順を開始する（ステップ６８）。ＤＳＬ受理信号の受信は、影響ペアが、今ではそのローカルエンドラインを介して双方向ＤＳＬシグナリングに関与し得ることを、第２のＤＳＬトランシーバに対して確認する。具体的には、ＤＳＬ受理信号の受信は、影響ペアの第１の影響ＤＳＬトランシーバが、第２の影響ＤＳＬトランシーバからＤＳＬ信号を受信済みであること、および第２の影響ＤＳＬトランシーバも、第１の影響ＤＳＬトランシーバからＤＳＬ信号を受信済みであることを含意する。
【００８０】
いくつかの実施形態では、影響ペアの第１の影響ＤＳＬトランシーバは、影響ペアの第２の影響ＤＳＬトランシーバが、検証手順の実施を開始済みであることを検出したことに応答して、上述の検証手順に参加することになる。影響ＤＳＬトランシーバペアは、Ｋ個のＤＳＬトランシーバペアの元のＤＳＬベクタリンググループが検証手順に失敗した場合は、すなわち、失敗は、ライン間クロストークの望ましくない影響をなくすのに必要とされる補償における、起こり得る実質的な変更を示すので、非アクティブ状態、すなわちＳｉａに遷移する。影響ペアは、Ｋ個のＤＳＬトランシーバペアを有する元のＤＳＬベクタリンググループが検証手順にパスした場合、その以前のアクティブ状態、すなわちＳａに遷移する。
【００８１】
図５、６は、ＤＳＬデータ通信セッションの不測の中断または実質的停止に応答する対称方法７０の実施形態をより詳しく示す。方法７０において、影響ペアの２つのＤＳＬトランシーバは、その間のＤＳＬ通信セッションの不測の中断または実質的停止に、対称的に応答する。
【００８２】
方法７０は、影響ペアの各ＤＳＬトランシーバが、その間のＤＳＬデータ通信の不測の中断または実質的停止に応答して、待機状態、すなわちＳｗに遷移することを含む（ステップ７２）。
【００８３】
ステップ７２の待機状態、すなわちＳｗにおいて、影響ペアの各ＤＳＬトランシーバは、そのローカルエンドラインに、定期的間隔でＤＳＬ待機信号を送信する（サブステップ７２ａ）。
【００８４】
ステップ７２の待機状態、すなわちＳｗにおいて、影響ペアの各ＤＳＬトランシーバはまた、そのローカルエンドラインのトランシーバ側からのＤＳＬ待機信号の受信を定期的に監視する（サブステップ７２ｂ）。
【００８５】
そのローカルエンドラインからのＤＳＬ待機信号の受信が、予め設定された時間内になかったこと、すなわち、サブステップ７２ｂでの受信なしに応答して、影響ペアの各ＤＳＬトランシーバは、永続的信号損失条件が存在すると判定し、非アクティブ状態、すなわちＳｉａに遷移する（ステップ７６）。非アクティブ状態、すなわちＳｉａにおいて、ＤＳＬトランシーバは、ＤＳＬ待機信号の監視を停止し、通常、ローカルエンドラインへのＤＳＬ信号の送信を停止する。
【００８６】
予め設定された時間内のＤＳＬ待機信号の受信、すなわち、サブステップ７２ｂでの受信に応答して、影響ペアの各ＤＳＬトランシーバは、受理状態、すなわちＳａｃｋに遷移する（ステップ７８）。受理状態、すなわちＳａｃｋにおいて、影響ペアの各ＤＳＬトランシーバは、そのローカルエンドラインにＤＳＬ受理信号を定期的に送信し、ローカルエンドラインのトランシーバ側からのＤＳＬ受理信号の受信を定期的に監視する。
【００８７】
方法７０において、影響ペアのＤＳＬトランシーバは、そのローカルエンドラインに、実質的に削減された電力のＤＳＬ信号を、待機状態、すなわちＳｗにおいて、および受理状態、すなわちＳａｃｋにおいて送信する。たとえば、こうした状態において、ＤＳＬ信号は、通常または最大電力ＤＳＬデータ通信に利用可能なＤＳＬトーンの１つまたはごく少数により、そのローカルエンドラインを介して送信することができる。また、このようなＤＳＬ信号は、削減された時間平均電力レベルで、たとえば、影響ＤＳＬトランシーバそれぞれによってその直前のアクティブ状態、すなわちＳａ中に同じローカルエンドラインに送信される平均ＤＳＬ電力レベルに対して６ｄＢ以上、８ｄＢ以上、または１０ｄＢも削減された電力レベルで送信することができる。
【００８８】
影響ペアの各ＤＳＬトランシーバは、その受理状態、すなわちＳａｃｋの、予め設定された開始時間内でのＤＳＬ受理信号の受信に応答して、新たなアクティブ状態、すなわちＳａに遷移する（ステップ８０）。この新たなアクティブ状態において、ＤＳＬベクタリンググループは、以前のアクティブ状態、すなわちＳａにおいて使われたプリコーディングおよび／またはデコーディング行列を使うことができる。
【００８９】
影響ペアの各ＤＳＬトランシーバは、その受理状態、すなわちＳａｃｋの開始から、予め設定された時間内にＤＳＬ受理信号を受信しなかったことに応答して、非アクティブ状態、すなわちＳｉａに遷移する（ステップ８２）。このような状況は、たとえば、対応するローカルエンドラインに亘る、たとえば、アップリンクおよび／またはダウンリンク方向における永続的電源喪失のケースで発生する。非アクティブ状態、すなわちＳｉａにおいて、影響ペアのＤＳＬトランシーバは、ＤＳＬ受理信号の監視を停止し、通常、ＤＳＬ信号の送信を停止する。
【００９０】
図６は、図５の方法７０の特定の一実施形態を示す。この特定の実施形態では、方法７０における、新たなアクティブ状態に遷移するステップ７８が修正される。この特定の実施形態では、新たなアクティブ状態に遷移するステップ７８は、任意選択の検証手順の実施（サブステップ７８ａ）も含む。
【００９１】
検証手順の実施は、影響ペアの一方または両方のＤＳＬトランシーバによる、ＤＳＬ受理信号の受信に応答して開始される。Ｋ個のＤＳＬモデムペアの元のＤＳＬベクタリンググループは、検証手順にパスする場合も失敗する場合もある。検証手順は、たとえば、図２を参照して既に記載した検査を含み得る。
【００９２】
ＤＳＬベクタリンググループが任意選択の検証手順にパスしたことに応答して、影響ペアのＤＳＬトランシーバは、アクティブ状態、すなわちＳａを再開する（サブステップ７８ｂ）。再開するサブステップ７８はまた、ＤＳＬベクタリンググループの中央制御型ＤＳＬトランシーバのセットが、以前のアクティブ状態、すなわちＳａで使われたプリコーディングおよびデコーディング行列Ｐ、Ｍに基づいてプリコーディングおよび／またはデコーディングを実施することを含み得る。
【００９３】
ＤＳＬベクタリンググループが任意選択の検証手順に失敗したことに応答して、影響ペアのＤＳＬモデムは、非アクティブ状態、すなわちＳｉａに遷移する（サブステップ７８ｃ）。任意選択の検証の失敗は一般に、以前のプリコーディングおよびデコーディング行列Ｐ、Ｍが今では、ライン間クロストークの補償に適さないことを示す。したがって、図２に示す、はるかに時間のかかる初期化手順が、続いて実施されて、影響ペアのＤＳＬトランシーバを、新たなアクティブ状態、すなわちＳａに遷移させることができる。このような新たなアクティブ状態は通常、異なるより適切なプリコーディングおよびデコーディング行列Ｐ、Ｍに基づくことになる。
【００９４】
図３−６を参照すると、方法４０、６０、７０の様々な実施形態では、影響ペアのＤＳＬトランシーバを、図２のアクティブ状態、すなわちＳａから待機状態、すなわちＳｗに遷移するように誘発する信号損失イベントに対する異なる定義を用いることができる。たとえば、いくつかの実施形態では、アクティブ状態、すなわちＳａから待機状態、すなわちＳｗへの遷移は、ＤＳＬ信号電力が非常に短い期間削減した後に実施することができる。このような、待機状態、すなわちＳｗへの迅速な遷移により、急激な物理的イベント、たとえば、対応するローカルエンドラインの機械的切断によって、影響ペアに対してＤＳＬ通信が中断されたとき、ＤＳＬベクタリンググループの他の（Ｋ−１）個のローカルエンドライン上での、補償されないライン間クロストークの望ましくない影響を削減することができる。迅速な遷移により、このような望ましくないクロストーク影響を削減することができる。というのは、クロストーク補償に必要とされる形を変え得るイベントが起こると、影響ペアのＤＳＬトランシーバが、急速にそのＤＳＬ送信電力を実質的に削減するからである。このような迅速な遷移はただし、自己軽減され、そうすることによって共有チャネルを、たとえば、以前のアップリンクおよびダウンリンクチャネル行列、すなわちＨＵ、ＨＤを有する早期の状態に戻す、非常に過渡的な物理チャネル条件によって誘発され得る。したがって、このような、待機状態、すなわちＳｗへの迅速な遷移を実装する実施形態は、信号損失イベントが非常に短かったという判定に応答して、待機状態、すなわちＳｗ、および／または受理状態、すなわちＳａｃｋから以前のアクティブ状態、すなわちＳａに戻る迅速な遷移もサポートし得る。たとえば、影響ペアの一方または両方のＤＳＬトランシーバは、待機状態、すなわちＳｗに入った後間もなくのＤＳＬ待機信号の受信に応答して、信号損失イベントが非常に短かったと判定し得る。このような実施形態は、このような短い信号損失イベント用に完全双方向通信がサポートされ、チャネル条件のそれ以上の検証が必要とされないという仮定に基づき得る。
【００９５】
図２−５を参照すると、方法４０、６０、７０のいくつかの実施形態は、影響ペアがアクティブ状態、すなわちＳａを再開した後、予め設定された短い時間内に、ＤＳＬベクタリンググループ用のライン間クロストークの補償が不十分であることが分かった場合、影響ペアのＤＳＬトランシーバを、アクティブ状態、すなわちＳａから非アクティブ状態、すなわちＳｉａに遷移させ得る。特に、このようないくつかの実施形態では、ライン間クロストークの補償の迅速な劣化は、影響ペアのＤＳＬデータ通信セッションの不適当な再開の結果として、たとえば、アップリンクおよびダウンリンクチャネル行列、すなわちＨＵ、ＨＤの相当なかつ未検知の変更要素に起因して生じたと仮定し得る。したがって、影響ＤＳＬトランシーバペアは、非アクティブ状態、すなわちＳｉａに遷移してよく、そうすることによって、図２の完全初期化手順を用いて、このようなライン間クロストークを補償する、より優れた構成を決定することができる。
【００９６】
方法４０、６０、７０、すなわち、図３−５に示したものは、２つの方法４０、６０が、影響ＤＳＬトランシーバペアの間で双方向ＤＳＬデータ通信がサポートされるときを判定することができることにより、上で組み込んだ‘４６１号特許出願における方法を上回る改良をもたらすことができる。
【００９７】
本明細書において、記載した方法、たとえば、図３−４の方法４０、６０のステップは、命令からなるマシン実行可能プログラムによって実施することができ、プログラムは、たとえば、コンピュータによって可読な、マシン可読な形でデジタル記憶媒体上にエンコードされる。デジタル記憶媒体は、たとえば、磁気テープ、磁気ディスク、光ディスク、デジタルアクティブメモリ、および／またはハードドライブでよい。
【００９８】
開示内容、図面、および請求項から、本発明の他の実施形態が当業者には明らかであろう。
【図１】
0005323254.tif 000002
【図２】
0005323254.tif 000003
【図３】
0005323254.tif 000004
【図４】
0005323254.tif 000005
【図５】
0005323254.tif 000006
【図６】
0005323254.tif 000007